【事件の表示】
　特願２００９−１６１９９７「タッチパネルを利用した液晶表示装置」拒絶査定不服審判事件〔平成２２年　１月２８日出願公開、特開２０１０−　２０７６９〕について、次のとおり審決する。
【結　論】
　本件審判の請求は、成り立たない。
【理　由】
第１　手続きの経緯
　
　本件は、平成２１年７月８日（パリ条約による優先権主張、２００８年７月９日、中国）の出願であって、平成２３年１１月４日付けで拒絶理由が通知され、平成２４年２月２日付けで手続補正がなされ、同年３月１２日付けで拒絶査定がなされ、それに対して、同年７月１９日に拒絶査定不服の審判が請求されるとともに、同時に手続補正がなされ、同年１２月２６日付けで当審において審尋がなされ、平成２５年３月２５日付けで回答書が提出されたものである。
　
第２　平成２４年７月１９日付けの手続補正についての補正却下の決定
　
 ［補正却下の決定の結論］
　
　平成２４年７月１９日付けの手続補正（以下、「本件補正」という。）を却下する。
　
 ［補正却下の決定の理由］
　
（１）補正後の本願発明
　本件補正により、特許請求の範囲の請求項１は、
  「【請求項１】
　複数の透明電極を含むタッチパネルが設置された第一素子と、
　薄膜トランジスタパネルが設置され、且つ前記第一素子に対向する第二素子と、
　前記第一素子と前記第二素子との間に設置された液晶層と、
を備え、
　前記透明電極がカーボンナノチューブ構造体を含み、
　前記カーボンナノチューブ構造体は、少なくとも１枚のカーボンナノチューブフィルムからなり、
　前記カーボンナノチューブフィルムは、複数のカーボンナノチューブからなり、
　前記タッチパネルが、
　第一基材と、前記第一基材の表面に設置される複数の第一透明電極と、前記複数の第一透明電極とそれぞれ接続される複数の第一信号線と、を備える第一電極板と、
　第二基材と、前記第二基材の表面に設置され、且つ前記第一透明電極に対向する複数の第二透明電極と、前記複数の第二透明電極とそれぞれ接続される複数の第二信号線と、を備える前記第二電極板と、
　を備えることを特徴とするタッチパネルを利用した液晶表示装置。」
と補正された。
　
　上記補正は、本件補正前の請求項１に記載した発明を特定するために必要な事項である「複数の透明電極を含むタッチパネル」について「第一基材と、前記第一基材の表面に設置される複数の第一透明電極と、前記複数の第一透明電極とそれぞれ接続される複数の第一信号線と、を備える第一電極板と、
　第二基材と、前記第二基材の表面に設置され、且つ前記第一透明電極に対向する複数の第二透明電極と、前記複数の第二透明電極とそれぞれ接続される複数の第二信号線と、を備える前記第二電極板」を備えるとの限定を付加するものであって、特許法第１７条の２第５項第２号に掲げられた特許請求の範囲の減縮を目的とするものであるので、本件補正後の請求項１に記載された発明（以下、「本願補正発明」という。）が特許出願の際独立して特許を受けることができるものであるか（特許法第１７条の２第６項において準用する同法第１２６条第７項の規定に適合するか）について以下に検討する。
　
（２）引用例等
　原査定の拒絶の理由に引用された本願の優先日前に頒布された、国際出願公開第２００５／１０４１４１号（以下、「引用例１」という。）には、図面とともに、次の技術事項が記載されている。
　
ａ）「［００２２］　図１に例示する
抵抗膜式タッチパネルＡは、上部電極Ａ１と下部電極Ａ２からなるものであり、このタッチパネルＡの下側には、液晶などの表示装置Ａ３が配置されている
上部電極Ａ１は、
透明基材１１の片面（下面）に透明導電層１２を形成した本発明のタッチパネル用透明導電成形体１よりなるもので、
また、下部電極Ａ２は、
透明基材１１の片面（上面）に透明導電層１２を形成した本発明のタッチパネル用透明導電成形体１よりなるもので、
［００２３］　
この抵抗膜式タッチパネルＡに用いているタッチパネル用透明導電成形体１は、
透明基材１１の片面の表面に、極細導電繊維４を含んだ透明導電層１２を積層形成したものである
　なお、透明導電層１２は透明基材１１の両面に積層形成してもよい。」（［００２２］〜［００２３］の記載。）
　
ｂ）「［００３２］　
導電層１２に使用される極細導電繊維４としては、カーボンナノチューブ
などの、
極細導電繊維が好ましく用いられる
［００３３］　これらの極細導電繊維４の中でも、カーボンナノチューブは、直径が極めて細く０．３〜８０ｎｍであるので、1本或は１束ずつ分散することで該カーボンナノチューブが光透過を阻害することが少なくなり、より透明な導電層１２を得るうえで特に好ましい。」（［００３２］〜［００３３］の記載。）
　
　してみると、引用例１には以下の発明が（以下「引用例１記載の発明」という。）が記載されている。
　「抵抗膜式タッチパネルＡは、上部電極Ａ１と下部電極Ａ２からなるものであり、
　このタッチパネルＡの下側には、液晶などの表示装置Ａ３が配置されており、
　上部電極Ａ１は、透明基材１１の片面（下面）に透明導電層１２を形成したタッチパネル用透明導電成形体１よりなるもので、
　また、下部電極Ａ２は、透明基材１１の片面（上面）に透明導電層１２を形成したタッチパネル用透明導電成形体１よりなるものであり、
　この抵抗膜式タッチパネルＡに用いているタッチパネル用透明導電成形体１は、透明基材１１の片面の表面に、極細導電繊維４を含んだ透明導電層１２を積層形成したものであり、
　導電層１２に使用される極細導電繊維４としては、カーボンナノチューブなどの、極細導電繊維が好ましく用いられる、
タッチパネル。」
　
　本願の優先日前に頒布された特開２００７−５２１８３号公報（以下、「周知例１」という。）には、図面とともに以下の事項が記載されている。
　
ｃ）「【００２９】
  図１に示すように、本実施例の液晶表示装置１００は、液晶パネル１０とタッチパネル２０とこれらを保持するシャーシフレーム３０などからなる。なお、液晶表示装置１００の各構成部材の形状や配置、固定構造などは図の構成に限定されず、また、液晶表示装置１００の駆動方式なども適宜変更することができる。
【００３０】
  液晶パネル１０は、液晶を駆動させるためのＴＦＴなどのスイッチング素子が配置されたアクティブマトリクス基板（以下、ＴＦＴ基板１１とする。）と、対向する電極層が形成されたカラーフィルター基板１２とが液晶層を挟んで構成されており、ＴＦＴ基板１１とカラーフィルター基板１２にはそれぞれ偏光板１３、１４が取付けられている。また、タッチパネル２０は、位置検出用電極としての透明導電膜２３が片面に形成された上部基板２１と、同じく透明導電膜２３が形成された下部基板２２とが、透明導電膜２３が互いに向かい合うように設置されて構成され、周縁部の両面粘着剤２５で保持されている。」（【００２９】〜【００３０】の記載。）
　
　本願の優先日前に頒布された特開２００８−１５２７６７号公報（以下、「周知例２」という。）には、図面とともに以下の事項が記載されている。
　
ｄ）「【００６４】
  図３及び４に示されるように、タッチパネル２は、上から順に偏光板１１、上部面状部材５Ａ、抵抗膜１３、スペーサ１６、抵抗膜１４、配線基板３０、下部面状部材５Ｂを積層してなる。下部面状部材５Ｂの下にはパネルの構成となるＬＣＤ本体２０と偏光板２１とが同順に積層されており、全体としてＬＣＤ一体型タッチパネルの構成をなしている。
  なお、タッチパネル２に装着されるディスプレイはＬＣＤに限らず、ＣＲＴ、ＰＤＰ等の他の種類のディスプレイを（当審注：「硫黄」は「イを」の誤記と認める。）使用してもよい。」（【００６４】の記載。）
　
ｅ）「【００６６】
  下部面状部材５Ｂに直接積層される２０は、ＬＣＤ本体部である。これは公知のＴＦＴ型ＬＣＤ基板であって、上から下に同順に、不図示の透明層、カラーフィルタ、液晶分子層、ＴＦＴ基板、透明層が積層されたユニットを構成している。なお、ＬＣＤ本体２０はＴＦＴ型以外でもよく、また上記積層構造に限られない。前記偏光板２１は、当該ＬＣＤ本体部２０の下に積層されている。」（【００６６】の記載。）
　
　原査定で周知例として提示された本願の優先日前に頒布された、国際公開第２００５／１０２９２４号（以下、「周知例３」という。）には、図面とともに、次の技術事項が記載されている。
　
ｆ）「［０００１］　本発明は、炭素系微細構造物群、炭素系微細構造物の集合体、その利用およびその製造方法に関するものである。より詳しくは、例えば、カーボンナノチューブ等の炭素系微細構造物が群をなす炭素系微細構造物群と、炭素系微細構造物がファンデルワールス力等による強い相互作用で互いに結合した集合体と、それを用いた種々の用途と、製造する方法とに関するものである。
　背景技術
［０００２］　炭素系微細構造物の１つであるカーボンナノチューブ（以下、ＣＮＴと称する）は、直径が約０．５ｎｍから１０ｎｍ程度、長さが約１μｍ程度のパイプ状のカーボン素材であり、１９９１年にＮＥＣの飯島氏によって発見された新しい炭素材料である。また、ＣＮＴには、１層構造のシングルウォールナノチューブ、多層構造のマルチウォールチューブの存在が確認されている。」（［０００１］〜［０００２］の記載。）
　
ｇ）「［００３２］　〔炭素系微細構造物群〕
　ブラシ状ＣＮＴは、基板上に、基板に対して略垂直方向に配向した複数のＣＮＴを林立させたものである。基板としては、Ｓｉウエハ上に、触媒としてＦｅ薄膜を形成したものを用いることができる。また、略垂直方向とは、ほぼ垂直方向であること意味し、完全に垂直方向であることが好ましいが、基板面から離れていく方向をも含む。」（［００３２］の記載。）
　
ｈ）「［００４４］　〔炭素系微細構造物群の製造方法〕
　本発明のブラシ状ＣＮＴは、触媒化学気相成長法（ＣＣＶＤ法；Catalyst Chemical Vapor Deposition）により作製することができる。ＣＣＶＤ法は、反応室内に触媒体を配置し、反応室内にキャリアガスおよび原料ガスを供給して、この触媒体の表面にＣＮＴを成長させる方法である。」（［００４４］の記載。）
　
ｉ）「［００７０］　〔炭素系微細構造物の集合体〕
　次に、本発明に係る炭素系微細構造物の集合体について説明する。本発明の集合体は、複数のＣＮＴが同一方向に配向しているとともに、該配向方向に沿って集合したものである。
・・・
［００７２］　さらに、本発明の集合体は、上記配向方向に対して直角方向にも集合した集合体も含む。配向方向に対して直角方向とは、いわゆるＣＮＴロープの長手方向に対して直角方向（短手方向）である。従って、この場合、長手方向に配向したＣＮＴロープがさらに短手方向に集合した構成を有しており、平面的な広がりを有する集合体となる。この構成は、ＣＮＴロープがさらに辺方向にも集合した構成とも表現できる。以下では、説明の便宜上、この構成を有する集合体を「ＣＮＴシート」と称する。」（［００７０］〜［００７２］の記載。）
　
ｊ）「［００９０］　なお、ＣＮＴシートを製造する場合には、ブラシ状ＣＮＴからＣＮＴを引っ張る際に、引っ張るＣＮＴの本数を多くすればよい。上述したように、ブラシ状ＣＮＴの基板表面に近い部分では、ＣＮＴがシート状になっている。このシート状のＣＮＴを、シート状のまま引っ張ることでＣＮＴシートを製造することができる。」（［００９０］の記載。）
　
ｋ）「［００９９］　〔炭素系微細構造物の集合体の利用〕
　本発明に係る炭素系微細構造物の集合体は、上記の構成や物性を有するため種々の用途に用いることができる。例えば、集合体を積層マトリクス状構造体物質、金属担持体、表面修飾物質、撚糸状構造物、布状構造物、コイル状構造物として用いることや、集合体を補強材、電線、導線、センサ、透明導電体、刃物、モータ、透明電磁波吸収材、建材、振動板、摺動材、人工筋肉、衣服、釣り糸、光吸収材、反射板、不織布、人工誘電体用媒体、インク、塗料、耐熱材、または耐磨耗材として用いることができる。以下、具体的に説明する。」（［００９９］の記載。）
　
ｌ）「［０１０８］　ＣＮＴロープやＣＮＴシートの金属担持体は、ガスフィルタの他にも、分子フィルタ、液体フィルタ、遮音用フィルタ、偏光フィルタ等に利用することもできる。また、ガス吸着剤等の種々の吸着剤にも利用することができる。」（［０１０８］の記載。）
　
ｍ）「「［０１３４］　（釣り糸・光吸収材・反射板・不織布・人工誘電体用媒体・インク・塗料・耐熱材・耐磨耗材）
　本発明のＣＮＴロープやＣＮＴシートは、上記用途の他にも、釣り糸、光吸収材、反射板、不織布、人工誘電体用媒体、インク、塗料、耐熱材、または耐磨耗材に用いることができる。ＣＮＴロープやＣＮＴシートは、高い配向性と高い分散性を有しているため、偏光材料として利用できる。このため、上記偏光フィルタの他にも光吸収材等に用いることができる。」（［０１３４］の記載。）
　
　本願の優先日前に頒布された、中山喜萬，１９項　ＣＮＴの糸状長尺化とシート化技術の開発，ナノカーボンハンドブック，日本，株式会社エヌ・ティー・エス，２００７年７月１７日，初版，ｐ．２６１−２６６（以下、「周知例４」という。）には、図面とともに以下の事項が記載されている。
　
ｎ）「ＣＮＴの糸やシートを作るために使われるブラシ状ＣＮＴは化学気相合成（ＣＶＤ）法により合成され多層のものである。基板はシリコンウェハー、その上に触媒として４〜５ｎｍの鉄薄膜を塗布してある。これを反応管内に設置し、大気圧のＨｅ雰囲気中で７００℃程度の温度まで昇温する。そこに原料ガスとしてアセチレンを導入する。数秒から十分程度で１００〜４００μｍの高さのブラシ状ＣＮＴがシリコン基板上に合成される。」（２６２頁左欄の記載。）
　
ｏ）「ブラシ状ＣＮＴの端部分をつまみ基板表面に平行方向に引張ることにより、つまみ出した幅のＣＮＴシートが引き出される。ブラシ状ＣＮＴでは基板表面に垂直にＣＮＴが配向しているのに対し、後者の引き出されたシートではＣＮＴがシート面内にあり、引き出し方向に配向していることに注意していただきたい。」（２６２頁右欄の記載。）
　
ｐ）「ブラシ状ＣＮＴから幅広で引き出すとその幅のシートが引き出せる・・・ＣＮＴシート内では、引き出し方向にＣＮＴが配向している。」（２６４頁右欄の記載。）
　
ｑ）「ＣＮＴシートは４００ｎｍ〜２μｍの広範囲の光の波長に対して透過性が良い。また、偏光した光に対しては光学異方性を示す。偏光方向とＣＮＴ引き出し方向となす角をθとすると透過率Ｔはcos２θに比例する。偏光度を（Ｔｍａｘ−Ｔｍｉｎ）／（Ｔｍａｘ＋Ｔｍｉｎ）で表すと０．１１〜０．１４程度８，１９）のものや０．９を超す値５）のものが報告されている。また、ラマン散乱スペクトルでも同様の偏光特性がある。光の透過率より見積もった偏光度０．１４のものでも、Ｇバンド強度の偏光特性から求められた偏光度は０．７５の値を示す。ラマン散乱の偏光度はＣＮＴの密度に依存せず、ＣＮＴの配向度を与えている。
　ＣＮＴシートの引き出し方向のシート抵抗として５５０〜７００Ωが報告されている８）。この値は基板上に貼り付ける前と後でそれほど大きく変化しない。・・・先の透明性を考慮すれば、透明導電膜としての用途も視野に入る。」（２６５頁左欄の記載。）
　
　本願の優先日前に頒布された特開平１０−２４６６０５号公報（以下、「周知例５」という。）には、図面とともに以下の事項が記載されている。
　
ｒ）「【０００５】抵抗入力式パネルセンサは上下２面の抵抗膜を絶縁スペーサを介して配置したものであり、センサに指、ペン等が触れると上下の抵抗膜が接触し、抵抗値が変化することにより、位置情報を得る方式である。この抵抗入力式パネルセンサは更に２つに大別される。１つはデジタルマトリックス方式と呼ばれるものであり、図２（ａ）に示す様に基板Ａ上に抵抗膜Ｂを間隔をあけて複数設けて基板Ａを幅方向に分割し、２枚の基板Ａを抵抗膜Ｂが直交する様に対向させると共に両基板Ａ間に絶縁スぺーサ（図示されていない）を介して間隔を設けて上下に配置して、上下２枚の基板Ａの抵抗膜Ｂによりマトリックスを形成したものである。この状態で各基板Ａの夫々の抵抗膜Ｂにリード線Ｉから電極Ｃを通して電流を流し、基板Ａを指等で押して上下の抵抗膜Ｂ同士を接触させるとマトリックス状に分割されている領域（エリア）のうち押されたエリアの抵抗値が変化し、その変化から押されたエリアを検知できるようにしたエリア検知方式である。」（【０００５】の記載。）
　
　本願の優先日前に頒布された特開昭６２−１３９０２８号公報（以下、「周知例６」という。）には、図面とともに以下の事項が記載されている。
　
ｓ）「特許請求の範囲
１．ＣＲＴ等の表示器の前面に、対向した二枚の透明な抵抗膜フイルムを設置し、一方の前記抵抗膜フイルムはＸ軸方向に、他方の前記抵抗膜フイルムはＹ軸方向に、電気的に分割し、指で押した時押した部分のみが接触するようにして、前記Ｘ，Ｙの位置を知るタッチ入力パネルにおいて、
　電気的に分割した帯状の抵抗膜の両端を短絡してリード線を引出すようにして、接触時のＸ−Ｙ間の抵抗値を低くしたことを特徴とするタッチ入力パネル。
発明の詳細な説明
〔発明の利用分野〕
　本発明は指などでタッチすることによりデータ入力を行なうタッチ入力パネルに係り、特に、透明抵抗膜方式のタッチパネルに使用するに好適なタッチ入力パネルに関する。」（第１頁左下欄第３〜１９行の記載。）
　
ｔ）「以下、本発明の一実施例を第１図および、第２図により説明する。まず、第１図において、透明ポリエステルフイルムに、インジウム錫酸化物等の透明導電物質を帯状に蒸着した電極が、電気的に絶縁されて縦に１〜ｎまでｎ本が整然と並んでいる。そして、各電極の両端から引出し線が出され、この二本の引出し線は、電極１からの線はＸ１端子というふうに、Ｘ２，Ｘ３・・・・・・Ｘｎまで接続されている。以上を可動電極という。次に、第２図は第１図と比べて電極を膜（当審注：「膜」は「横」の誤記と認める。）に並べたもので、それ以外は同様にして引出し線をＹ１，Ｙ２・・・・・・Ｘｎと出ている。これを固定電極という。ここで可動電極，固定電極ともＣＲＴ等表示物の表示面積に合わせた大きさとすればよく、また、表示物の前面に固定電極を取付け、さらに、その上に可動電極を通常状態では導通しないように、両電極の間に絶縁スペーサを介して対向して第３図のように組立てる。」（第２頁左上欄第１〜１８行の記載。）
　
（３）対比
　そこで、本願補正発明と引用例１記載の発明とを対比する。
　
ア）引用例１記載の発明の「抵抗膜式タッチパネルＡ」は「上部電極Ａ１」を形成する「透明導電層１２」と「下部電極Ａ２」を形成する「透明導電層１２」とを有するから、引用例１記載の発明の「抵抗膜式タッチパネルＡ」は本願補正発明の「複数の透明電極を含むタッチパネル」に相当する。
　
イ）本願の明細書【００１５】の「前記第一素子１００は、タッチパネル１０と、第一偏光層１１０と、第一配向層１１２と、を順に備える。前記第一偏光層１１０は、前記タッチパネル１０の、前記液晶層３１０近接する表面に設置され、前記液晶層３１０を通過した光線を制御する。前記第一配向層１１２は、前記第一偏光層１１０の、前記液晶層３１０近接する表面に設置される。更に、前記第一配向層１１２の、前記液晶層３１０近接する表面に、前記液晶層３１０の液晶分子を配向して配列させる平行な複数の第一凹溝（図示せず）がさらに設置されることができる。」なる記載、本願の明細書【００３４】の「前記第二素子２００は、第二配向層２１２と、薄膜トランジスタパネル２２０と、第二偏光層２１０と、を順に備える。前記第二配向層２１２は、前記薄膜トランジスタパネル２２０の、前記液晶層３１０に近接する表面に設置される。更に、前記第二配向層２１２の、前記液晶層３１０に近接する表面には、互いに平行し、且つ前記第一配向層１１２における第一凹溝の配列方向と直交する方向に配列される複数の第二凹溝を設けることができる。前記複数の第二凹溝は、前記液晶層３１０の液晶分子を配向して配列させる。」なる記載を参酌すれば、本願補正発明の「タッチパネルが設置された第一素子と、
　薄膜トランジスタパネルが設置され、且つ前記第一素子に対向する第二素子と、
　前記第一素子と前記第二素子との間に設置された液晶層」は、タッチパネルが設置された、液晶による表示装置に相当するものである。
　したがって、引用例１記載の発明の「タッチパネルＡの下側」に配置された「液晶などの表示装置Ａ３」は、本願補正発明の「タッチパネルが設置された第一素子と、
　薄膜トランジスタパネルが設置され、且つ前記第一素子に対向する第二素子と、
　前記第一素子と前記第二素子との間に設置された液晶層」と、タッチパネルが設置された、液晶による表示装置である点で一致するといえる。
　
ウ）引用例１記載の発明の「透明導電層１２」に使用される「極細導電繊維４」は「カーボンナノチューブ」が用いられるものであるから、引用例１記載の発明の「透明導電層１２」は、本願補正発明の「透明電極がカーボンナノチューブ構造体を含」むことと、透明電極がカーボンナノチューブを含む点で一致するといえる。
　
エ）引用例１記載の発明の「タッチパネル」は、「タッチパネルＡの下側には、液晶などの表示装置Ａ３が配置され」るものであるから、引用例１記載の発明の「タッチパネルＡ」および「液晶などの表示装置Ａ３」は、本願補正発明の「タッチパネルを利用した液晶表示装置」に相当する。
　
　したがって、両者は、
「複数の透明電極を含むタッチパネルと、
　タッチパネルが設置された、液晶による表示装置と、
を備え、
　前記透明電極がカーボンナノチューブを含む、
　ことを特徴とするタッチパネルを利用した液晶表示装置。」で一致し、次の点で相違する。
　
［相違点］
［相違点１］本願補正発明の、タッチパネルが設置された、液晶による表示装置は、「複数の透明電極を含むタッチパネルが設置された第一素子と、
　薄膜トランジスタパネルが設置され、且つ前記第一素子に対向する第二素子と、
　前記第一素子と前記第二素子との間に設置された液晶層と、
を備え」ているのに対し、引用例１記載の発明は「タッチパネルＡの下側」に配置された「液晶などの表示装置Ａ３」と記載されるのみである点。
　
［相違点２］本願補正発明の透明電極は、「カーボンナノチューブ構造体を含み、
　前記カーボンナノチューブ構造体は、少なくとも１枚のカーボンナノチューブフィルムからなり、
　前記カーボンナノチューブフィルムは、複数のカーボンナノチューブからな」るのに対して、引用例１記載の発明は「透明導電層１２」に使用される「極細導電繊維４」は「カーボンナノチューブ」が用いられると記載されるのみである点。
　
［請求項３］本願補正発明のタッチパネルは、「第一基材と、前記第一基材の表面に設置される複数の第一透明電極と、前記複数の第一透明電極とそれぞれ接続される複数の第一信号線と、を備える第一電極板と、
　第二基材と、前記第二基材の表面に設置され、且つ前記第一透明電極に対向する複数の第二透明電極と、前記複数の第二透明電極とそれぞれ接続される複数の第二信号線と、を備える前記第二電極板と、」を備えるものであるのに対して、引用例１記載の発明は、「抵抗膜式タッチパネルＡ」は「上部電極Ａ１」を形成する「透明導電層１２」と「下部電極Ａ２」を形成する「透明導電層１２」とを有すると記載されるのみである点。
　
（４）判断
［相違点１］について
　周知例１には、タッチパネル２０下部に液晶パネル１０を配置し、該液晶パネル１０は、本願補正発明の「複数の透明電極を含むタッチパネルが設置された第一素子」に相当する、タッチパネル２０、帯電防止層４１、偏光板１３およびカラーフィルタ基板１２を有し、液晶層を挟んで、本願補正発明の「薄膜トランジスタパネルが設置され、且つ前記第一素子に対向する第二素子」に相当する、ＴＦＴ基板１１および偏光板１２を有することが記載され、周知例２には、タッチパネル２の下部にＬＣＤ本体部２０を配置し、該ＬＣＤ本体部２０は、本願補正発明の「複数の透明電極を含むタッチパネルが設置された第一素子」に相当する、タッチパネル２、透明層およびカラーフィルタを有し、液晶分子層を挟んで、本願補正発明の「薄膜トランジスタパネルが設置され、且つ前記第一素子に対向する第二素子」に相当する、ＴＦＴ基板および透明層を有することが記載されているように、液晶による表示素子を、「複数の透明電極を含むタッチパネルが設置された第一素子と、
　薄膜トランジスタパネルが設置され、且つ前記第一素子に対向する第二素子と、
　前記第一素子と前記第二素子との間に設置された液晶層と、
を備え」た構成とすることは本願優先日前周知技術であり、引用例１記載の発明の液晶などの表示装置Ａ３に上記周知技術を適用して、相違点１に係る構成とすることは当業者が容易になしたことと認められる。
　
［相違点２］について
　周知例３には、ブラシ状ＣＮＴ（カーボンナノチューブ）は、基板上に、基板に対して略垂直方向に配向した複数のＣＮＴを林立させたものであり、触媒化学気相成長法（ＣＣＶＤ法；Catalyst Chemical Vapor Deposition）により作製することができ、長手方向に配向したＣＮＴロープがさらに短手方向に集合した構成を有しており、平面的な広がりを有する集合体である「ＣＮＴシート」は、ブラシ状ＣＮＴからＣＮＴを引っ張る際に、引っ張るＣＮＴの本数を多くして製造し、透明導電体として用いることができることが記載され、周知例４には、ＣＮＴの糸やシートを作るために使われるブラシ状ＣＮＴは化学気相合成（ＣＶＤ）法により合成され、ブラシ状ＣＮＴの端部分をつまみ基板表面に平行方向に引張ることにより、つまみ出した幅のＣＮＴシートが引き出され、引き出されたシートではＣＮＴがシート面内にあり、引き出し方向に配向しており、ＣＮＴシートは４００ｎｍ〜２μｍの広範囲の光の波長に対して透過性が良く、ＣＮＴシートの引き出し方向のシート抵抗として５５０〜７００Ωが報告されており、透明導電膜としての用途も視野に入ることが記載されており、複数のカーボンナノチューブからなるカーボンナノチューブシートを透明導電体として用いることは、本願優先日前周知技術と認められる。
　そして、本願の明細書【００２３】に「前記カーボンナノチューブ構造体におけるカーボンナノチューブフィルムは配向型のカーボンナノチューブフィルムである場合、カーボンナノチューブアレイから直接引き出して得たカーボンナノチューブフィルムを採用することが好ましい。前記引き出して得たカーボンナノチューブフィルムは、互いに大体平行し且つ前記カーボンナノチューブフィルムの表面に大体平行する複数のカーボンナノチューブを含む。詳しくは、前記引き出して得たカーボンナノチューブフィルムにおけるカーボンナノチューブは、分子間力によって端と端で接合され、且つ大体同じ方向に沿って優先方位に配列される。」と記載されていることを参酌すれば、上記周知技術のカーボンナノチューブシートは、本願補正発明の「カーボンナノチューブフィルム」および「カーボンナノチューブ構造体」に相当し、上記周知技術のカーボンナノチューブシートを透明導電体として用いることは、透明導電体の用途がタッチパネルの透明電極等であることは明らかであるから、本願補正発明の「透明電極がカーボンナノチューブ構造体を含む」ことと、透明な導電体がカーボンナノチューブ構造体を含む点で一致しているといえる。
　よって、引用例１記載の発明の透明導電層１２に上記周知技術適用して、相違点２に係る構成とすることは当業者が容易になしたことと認められる。
　
［相違点３］について
　周知例５には、抵抗入力式パネルセンサにおいて、本願補正発明の「第一基材」または「第二基材」に相当する基板Ａ上に、本願補正発明の「第一透明電極」または「第二透明電極」に相当する抵抗膜Ｂを間隔をあけて複数設け、２枚の基板Ａを抵抗膜Ｂが直交する様に対向させ、各基板Ａの夫々の抵抗膜Ｂに、本願補正発明の「第一信号線」または「第二信号線」に相当するリード線Ｉから電極Ｃを通して電流を流す抵抗入力式パネルセンサが記載され、周知例６には、透明抵抗膜方式のタッチパネルにおいて、本願補正発明の「第一基材」に相当する透明ポリエステルフイルムに、本願補正発明の「第一透明電極」に相当する透明導電物質を帯状に蒸着した電極が電気的に絶縁されて縦に１〜ｎ本が整然と並んでおり、各電極の両端から、本願補正発明の「第一信号線」に相当する引出し線が出された可動電極と、電極を横に並べた以外は同様である、すなわち、本願補正発明の「第二基材」、「第二透明電極」、「第二信号線」に相当する構成を有する固定電極とを有する透明抵抗膜方式のタッチパネルが記載されているように、「第一基材と、前記第一基材の表面に設置される複数の第一透明電極と、前記複数の第一透明電極とそれぞれ接続される複数の第一信号線と、を備える第一電極板と、
　第二基材と、前記第二基材の表面に設置され、且つ前記第一透明電極に対向する複数の第二透明電極と、前記複数の第二透明電極とそれぞれ接続される複数の第二信号線と、を備える前記第二電極板と」を備えるタッチパネルは本願優先日前周知技術であり、引用例１記載の発明の抵抗膜式タッチパネルＡに上記周知技術を適用して、相違点３に係る構成とすることは当業者が容易になしたことと認められる。
　
　また、本願補正発明の作用効果も、引用例１記載の発明及び各周知技術から当業者が予測できる範囲のものである。
　
　したがって、本願補正発明は、引用例１記載の発明及び各周知技術に基づいて、当業者が容易に発明をすることができたものであるから、特許法第２９条第２項の規定により特許出願の際独立して特許を受けることができないものである。
　
（５）むすび
　以上のとおり、本件補正は、特許法第１７条の２第６項において準用する同法第１２６条第７項の規定に違反するので、同法第１５９条第１項の規定において読み替えて準用する同法第５３条第１項の規定により却下すべきものである。
　
第３　本願発明について
　平成２４年７月１９日付の手続補正は上記のとおり却下されたので、本願の請求項１に係る発明（以下、「本願発明」という。）は、平成２４年２月２日付手続補正書の特許請求の範囲の請求項１に記載された事項により特定される、以下のとおりのものである。
　「請求項１】
　複数の透明電極を含むタッチパネルが設置された第一素子と、
　薄膜トランジスタパネルが設置され、且つ前記第一素子に対向する第二素子と、
　前記第一素子と前記第二素子との間に設置された液晶層と、
を備え、
　前記透明電極がカーボンナノチューブ構造体を含み、
　前記カーボンナノチューブ構造体は、少なくとも１枚のカーボンナノチューブフィルムからなり、
　前記カーボンナノチューブフィルムは、複数のカーボンナノチューブからなることを特徴とするタッチパネルを利用した液晶表示装置。」
　
（１）引用例等
　　原査定の拒絶の理由に引用された引用例等、及びその記載事項は、前記「第２」「（２）引用例等」に記載したとおりである。
　
（２）対比・判断
　本願発明は、前記「第２」で検討した本願補正発明から、「前記タッチパネルが、
　第一基材と、前記第一基材の表面に設置される複数の第一透明電極と、前記複数の第一透明電極とそれぞれ接続される複数の第一信号線と、を備える第一電極板と、
　第二基材と、前記第二基材の表面に設置され、且つ前記第一透明電極に対向する複数の第二透明電極と、前記複数の第二透明電極とそれぞれ接続される複数の第二信号線と、を備える前記第二電極板と、
　を備える」とする構成を省くものである。
　そうすると、本願発明の構成要件をすべて含み、さらに他の構成要件を付加したものに相当する本願補正発明が、前記「第２」「（４）判断」に記載したとおり、引用例１記載の発明及び各周知技術に基づいて、当業者が容易に発明をすることができたものであるから、本願発明も同様の理由により、引用例１記載の発明及び各周知技術に基づいて、当業者が容易に発明をすることができたものである。
　
　なお、請求人は、平成２５年３月２５日付け回答書において、「前記第一素子は、前記タッチパネルの前記液晶層に近接する表面に設置された第一偏光層を備えており、 
 　前記第一偏光層は、１枚の配向型のカーボンナノチューブフィルムであり、 
 　前記配向型のカーボンナノチューブフィルムにおけるカーボンナノチューブは同じ方向に沿って配列されており」と特定した補正案を示しているが、周知例３の摘記事項ｌ）、ｍ）には、カーボンナノチューブシートを偏光フィルタに用いること、周知例４の摘記事項ｑ）には、配向したカーボンナノチューブから成るカーボンナノチューブシートが偏光特性を有することが記載されており、また、矢ヶ崎琢也、中西朗，第７章　抵抗膜式タッチパネル，タッチパネルの技術と開発，株式会社シーエムシー出版，２００４年１２月２７日，第１刷，ｐ．８７の図６に示されるように、ＬＣＤとタッチパネル間に偏光板を配置することは周知技術であるから、補正案によっても進歩性を肯定することはできない。
　
（３）むすび
　以上のとおり、本願の請求項１に係る発明は、特許法第２９条第２項の規定により特許を受けることができないものである。
　したがって、その余の請求項について論及するまでもなく、本願は拒絶するべきものである。
　よって、結論のとおり審決する。